(57)【要約】      （修正有）【課題】クリップ及びフランジを用いて、スピーカーを取り付け面に保持することを可能にする。【解決手段】スピーカー保持装置１００は、実質的に楕円形のスピーカーフレーム１２１を含むスピーカー１０２と、スピーカーフレーム１２１が配置される実質的に円筒形のフランジ１１１を含む取り付け面１０１と、フランジ１１１内でスピーカーフレーム１０２とフランジ１１１の保持リム１１２との間に配置される実質的に楕円形のクリップ１０３と、を備える。【選択図】図１
2020137124.tif 000002
【特許請求の範囲】
【請求項１】
実質的に楕円形のスピーカーフレームを含むスピーカーと、
前記スピーカーフレームが配置される実質的に円筒形のフランジを含む取り付け面と、
前記フランジ内で前記スピーカーフレームと前記フランジの保持リムとの間に配置される実質的に楕円形のクリップと、
を備える、スピーカーの保持が改善された装置。
【請求項２】
前記クリップは、前記クリップの円周においてギャップを有する、請求項１に記載の装置。
【請求項３】
前記フランジ内に配置されて、前記スピーカーを前記取り付け面及び前記クリップから隔離する、少なくとも１つの振動減衰部材を更に備える、請求項１に記載の装置。
【請求項４】
前記スピーカーは、前記取り付け面に向き、前記取り付け面は、前記スピーカーによって生成される音が通る少なくとも１つの開口を有する、請求項１に記載の装置。
【請求項５】
前記スピーカーは、前記取り付け面から離れる方に向き、前記取り付け面における開口は、前記スピーカーの前記スピーカーフレーム以外の部分が前記取り付け面を通り抜けることを許容する、請求項１に記載の装置。
【請求項６】
スピーカーを取り付け面に保持する方法であって、
前記スピーカーの実質的に楕円形のスピーカーフレームを、前記取り付け面の実質的に円筒形のフランジ内に配置することと、
実質的に楕円形のクリップを、前記フランジ内へ前記スピーカーフレームと前記フランジの保持リムとの間に配置することと、
を含む、方法。
【請求項７】
前記クリップは、前記クリップの円周におけるギャップを有し、前記クリップを配置することは、
前記クリップを締めて、前記クリップが前記リムを通って前記フランジ内に嵌まるように前記ギャップの大きさを減少させることと、
前記クリップが前記フランジに入ったら、前記クリップを解放することと、
を含む、請求項６に記載の方法。
【請求項８】
少なくとも１つの振動減衰部材を前記フランジ内に配置して、前記スピーカーを前記取り付け面及び前記クリップから隔離することを更に含む、請求項６に記載の方法。
【請求項９】
前記スピーカーは、前記取り付け面に向き、前記取り付け面は、前記スピーカーによって生成される音が通る少なくとも１つの開口を有する、請求項６に記載の方法。
【請求項１０】
前記スピーカーは、前記取り付け面から離れる方に向き、前記取り付け面における開口は、前記スピーカーの前記スピーカーフレーム以外の部分が前記取り付け面を通り抜けることを許容する、請求項６に記載の方法。
【発明の詳細な説明】
【背景技術】
【０００１】
従来、スピーカーは、製品の後部カバーからの後部支持体を用いて、又は、スピーカーの外周部を囲むブラケットをねじ留めすることによって、製品の取り付け面に保持される。他の場合では、スピーカーは、接着剤を用いてスピーカーのフレームの外周部に固定されるか、又は、ねじによってスピーカーのフレームにある穴を介して取り付け面に固定される。これらの上記の例は、多数の部品（例えば、ブラケット、ガスケット、ねじ等）を必要とする傾向があるが、多数の部品が必要であれば、組み立てに必要な費用及び労働量は増大する。これらの例のうちのいくつかでは、例えば、製品の後部カバーを用いてスピーカーを保持するのであれば、スピーカーから製品の後部カバーに望ましくない振動も伝わる。これらの振動によって音響歪みが生じ、忠実度の損失を補償するのに多大な労力が必要となり得る。さらに、後部カバーに振動が伝われば、製品の他の構成部品においてガタガタ音が発生し得る。
【発明の概要】
【０００２】
本明細書に開示される技術は、クリップ及びフランジを用いて、スピーカーを取り付け面に保持することを可能にする。特定の一実施形態において、装置は、実質的に楕円形のスピーカーフレームを含むスピーカーを備える。装置は、スピーカーフレームが配置される実質的に円筒形のフランジを含む取り付け面を更に備える。また、装置は、スピーカーフレームとフランジの保持リムとの間でフランジ内に配置される、実質的に楕円形のクリップを備える。
【０００３】
いくつかの実施形態において、クリップは、クリップの円周においてギャップを有する。これらの実施形態において、クリップは、ギャップの各側に、クリップを配置するための工具に対応する工具把持点を有することができる。
【０００４】
いくつかの実施形態において、少なくとも１つの振動減衰部材がフランジに配置され、スピーカーを取り付け面及びクリップから隔離する。これらの実施形態において、少なくとも１つの振動減衰部材は、スピーカーフレームと同様の形状とすることができる。
【０００５】
いくつかの実施形態において、スピーカーは、取り付け面に向く。これらの実施形態において、取り付け面は、スピーカーによって生成される音が通る少なくとも１つの開口を有することができる。
【０００６】
いくつかの実施形態において、スピーカーは、取り付け面から離れる方に向き、取り付け面における開口は、スピーカーのスピーカーフレーム以外の部分が取り付け面を通り抜けることを許容する。
【０００７】
いくつかの実施形態において、電話機が取り付け面を備える。
【０００８】
更に別の実施形態において、方法は、スピーカーの実質的に楕円形のスピーカーフレームを、取り付け面の実質的に円筒形のフランジ内に配置することを含む。方法は、実質的に楕円形のクリップを、フランジ内へスピーカーフレームとフランジの保持リムとの間に配置することを更に含む。
【０００９】
いくつかの実施形態において、クリップは、クリップの円周におけるギャップを有する。これらの実施形態において、方法は、クリップを締めて、クリップがリムを通り抜けてフランジ内に嵌まるようにギャップの大きさを減少させることと、クリップがフランジに入ったら、クリップを解放することとを含むことができる。また、これらの実施形態において、クリップを配置することは、ギャップの各側における把持点を把持する配置工具を用いて、ギャップの各側でクリップを把持することを含むことができる。
【００１０】
いくつかの実施形態において、方法は、少なくとも１つの振動減衰部材をフランジ内に配置して、スピーカーを取り付け面及びクリップから隔離することを含む。これらの実施形態において、少なくとも１つの振動減衰部材は、スピーカーフレームと同様の形状とすることができる。
【図面の簡単な説明】
【００１１】
【図１】一実施態様における、組み立てられていないスピーカー保持装置の図である。
【図２】一実施態様における、組み立てられたスピーカー保持装置の図である。
【図３】一実施態様における、スピーカー保持装置の縦断面図である。
【図４】一実施態様における、スピーカー保持装置の別の縦断面図である。
【図５】一実施態様における、スピーカー保持装置の更に別の縦断面図である。
【図６】様々な実施態様における、スピーカー保持装置のクリップを示す図である。
【図７】一実施態様における、スピーカー保持装置を備える電話機を示す図である。
【図８】一実施態様における、スピーカー保持装置の組み立てのフロー図である。
【発明を実施するための形態】
【００１２】
本明細書に記載されるオーディオスピーカーの保持方法は、組み立てに比較的少数の部品を使用し、このことにより、スピーカーを備える製品を組み立てる際、費用の低減及び労働量の低減がもたらされる。さらに、スピーカーは、製品の背面を用いて保持されないので、音を生成しているスピーカーによって生じる振動が、背面保持部を通じて伝わることがない。その代わりに、スピーカーが保持される取り付け面は、スピーカーが配置されるフランジを含む。クリップは、スピーカーのフレームとフランジのリムとの間に配置された場合、スピーカーをフランジ内に保持する。したがって、スピーカーを取り付け面に取り付けるためには、以下で更に記載するように、２つの部品のみ、すなわち取り付け面自体（所要のフランジを有する）及びクリップのみが必要とされる。
【００１３】
図１は、一実施態様における、組み立てられていないスピーカー保持装置１００の図を示している。組み立てられていないスピーカー保持装置１００は、取り付け面１０１と、スピーカー１０２と、クリップ１０３とを備える。取り付け面１０１は、フランジ１１１を有し、フランジ１１１は、リム１１２を含む。この例の目的では、取り付け面１０１の見えている面は、背面１１４であり、図示の向きで取り付け面１０１の下になっている面は、前面１１５である。通常、スピーカーは、取り付け面の前面から外側に向かって音を方向付けるので、前後に関するこの取り決めが用いられる。しかしながら、スピーカーが取り付け面の背面から外側に向かって音を方向付ける例も存在し得る。
【００１４】
取り付け面１０１は、ワンピースであることが好ましいが、取り付け面１０１を形成するように組み付けられる複数の部品から構成することもできる。例えば、ワンピースの取り付け面１０１は、プラスチック等の射出成形材料から作製することもできるし、３Ｄ印刷することもできるし、鋳造することもできるし、何らかの他の製造方法を用いて作製することもできる。別の例において、フランジ１１１は、接着剤又は機械的締結具を用いて、取り付け面１０１の他の部分に結合することができる。取り付け面１０１は、フランジ１１１を伴う単純な矩形として示されているが、取り付け面１０１は、スピーカー１０２を含む製品のパネル等のより大きな構成部品とすることができ、したがって、多くの異なる形状をとることができることが理解されるべきである。
【００１５】
この例のスピーカー１０２は、丸型スピーカーであるが、別の一般的なスピーカー形状である長円形等の、他の実質的に楕円形の形状をとることができる。フランジ１１１の形状、少なくともフランジ１１１の内部の形状は、スピーカー１０２のフレーム１２１の形状と同様であるが、スピーカー１０２がフランジ１１１内に配置されるようにするために、フレーム１２１よりも大きい。同様に、この例の取り付け面１０１は、フランジ１１１内に開口１１３を有し、開口１１３は、スピーカー１０２によって生成される音が取り付け面１０１を通り抜けることを許容する。開口１１３は、スピーカー１０２がフランジ１１１内に配置されたら、スピーカー１０２が取り付け面１０１を通り抜けないような大きさ及び／又は形状でなければならない。取り付け面１０１における開口１１３は、フレーム１２１と同様の形状であるが、他の例における開口は、形状又は複数の開口の配置が、フランジ１１１内に配置されている場合にフレーム１２１が取り付け面１０１を通り抜けることを許容しないものである限り、他の形状をとることができる及び／又は複数の開口を含むことができる。
【００１６】
フランジ１１１は、フランジ１１１の最上部にリム１１２を有し、リム１１２は、リム１１２の位置においてフランジ１１１の内寸を減少させる。この例では、リム１１２は、６つのタブを有しているが、他の例において、リム１１２が依然として本明細書に記載されるように機能することができる限り、異なる大きさのより多数又はより少数のタブを用いてもよい。いくつかの場合、リム１１２は、図示のようにタブとして分割されているのではなく、フランジ１１１全体の周囲に延在してもよい。タブの数及び大きさは、配置されたらスピーカー１０２をフランジ１１１内に保持するように十分な剛性を依然として有しながら、クリップ１０３をフランジ１１１内に適切に配置することができることを確実にするように、クリップ１０３の材料及び大きさに応じて決まり得る。いくつかの例において、フレーム１２１の直径は、スピーカー１０２をフランジ１１１内に配置することができることを確実にするように、リム１１２の内径よりも小さくすることができるが、他の例において、リム１１２を形成するタブは、より大きな直径のフレーム１２１が、或る特定の向きでリム１１２を通り抜けることができるような構成とすることができる。
【００１７】
上記で言及したように、クリップ１０３は、スピーカー１０２がフランジ１１１内に配置された後、フランジ１１１内に配置される。特に、クリップ１０３は、クリップ１０３が、リム１１２によってフランジ１１１内に依然として保持されながら、フレーム１２１を除くスピーカー１０２全体の周囲でフランジ１１１内に嵌まることができるように、フレーム１２１及びフランジ１１１と同様の形状である。これにより、リム１１２がクリップ１０３をフランジ１１１内に保持するのと同時にクリップ１０３がスピーカー１０２をフランジ１１１内に更に保持するので、クリップ１０３がスピーカー１０２をフランジ１１１内に保持することが可能になる。クリップ１０３をリム１１２の下でフランジ１１１に嵌めるために、クリップ１０３は、リム１１２の直径内に適合するように操作される（例えば、曲げられる、締められる、撓められる又は別様に変形される）。クリップ１０３は、いくつかのタイプのプラスチック及びいくつかの金属を含む、少なくとも、フランジ１１１内に配置される場合に、クリップ１０３をリム１１２内に適合させるのに必要な程度まで操作されても、クリップ１０３が元の形状に戻るような材料から構成される。この例では、クリップ１０３は、リム１１２を通り抜けるようにクリップ１０３の形状を操作することをより容易にするために、楕円形の外周部にギャップを有する。ギャップによって、いくつかの用途においてＣ字形クリップと呼ばれる物が形成され、クリップ１０３がスピーカー１０２をフランジ１１１内に保持することを依然として可能にする限り、任意のサイズとすることができる。他の例において、場合によってはクリップ１０３の材料組成に応じて、クリップ１０３は、楕円形状におけるギャップを含まず、しかし依然として、リム１１２の下でフランジ１１１内に嵌まるように操作可能とすることができる。
【００１８】
図２は、一実施態様における、組み立てられたスピーカー保持装置２００の図を示している。組み立てられたスピーカー保持装置２００は、スピーカー１０２及びクリップ１０３が取り付け面１０１のフランジ１１１内に配置された後の組み立てられていないスピーカー保持装置１００を表している。組み立てられたスピーカー保持装置２００において見て取ることができるように、スピーカー１０２は、フランジ１１１内にあり、フレーム１２１は、開口１１３を通り抜けていない。クリップ１０３は、リム１１２の下でフレーム１２１の上に収められ、スピーカー１０２をフランジ１１１内で取り付け面１０１に当接させて保持する。クリップ１０３は、スピーカー１０２の通常動作下でフランジ１１１がフランジ１１１内で動き得ないように、フレーム１２１をフランジ１１１内に十分緊密に保持することが好ましい。なぜなら、そうでなければ、スピーカー１０２が振動すること及び／又は取り付け面１０１（又は、取り付け面１０１がその一部をなすシステム／装置）が動くことで、スピーカー１０２が動き、望ましくない影響（例えば、ガタガタ音、音響不良等）を引き起こす可能性があるからである。
【００１９】
図３は、一実施態様における、スピーカー保持装置３００の縦断面図を示している。スピーカー保持装置３００は、組み立てられたスピーカー保持装置２００におけるスピーカー１０２の最も幅が広い部分の断面を示しており、リム１１２のタブ、すなわちタブ３０１及びタブ３０２が、フランジ１１１の両側に存在する。スピーカー保持装置３００は、取り付け面１０１と、スピーカー１０２と、クリップ１０３とが、一緒に組み立てられて、スピーカー１０２をフランジ１１１内で取り付け面１０１に対して保持する様子を明確に示している。この例では、フレーム１２１の直径は、タブ３０１とタブ３０２との間の開口よりも小さいので、スピーカー１０２は、リム１１２のタブの間の空間を通り抜けるようにスピーカー１０２の向きを操作することを必要とせずに、フランジに挿入することができる。また、フレーム１２１の直径は、開口１１３の横断距離よりも大きいので、フレーム１２１は、取り付け面１０１を通り抜けない。クリップ１０３は、フレーム１２１の上に配置され、各側において、タブ３０１及びタブ３０２のそれぞれ並びにフレーム１２１に重なるように十分幅広である。適所に置かれると、クリップ１０３は、リム１１２の開口の横断距離を減少させることによってリム１１２の到達範囲を有効に広げ、クリップ１０３が適所にある間、フレーム１２１がフランジ１１１から外れることを防止する。
【００２０】
上記の議論から見出すことができるように、スピーカー１０２の保持に重要であるのは、フランジ１１１の内部構成／寸法だけである。したがって、フランジ１１１の外側部が取り付け面１０１上で真っ直ぐ起立するように示されているが、他のフランジ外側構成を用いてもよい。例えば、取り付け面１０１をフランジ１１１の最上部に向かって先細りにしてもよいし、取り付け面１０１をより厚くして、フランジ１１１が取り付け面１０１の他の部分から突出する量を低減させてもよい（場合によっては、フランジ１１１の最上部を取り付け面１０１の残りの部分と面一にする）。
【００２１】
図４は、一実施態様における、スピーカー保持装置４００の縦断面図を示している。この例における縦断面図は、図３の縦断面図と同様であるが、スピーカー１０２は、フランジ１１１内で上記の例とは反対の向きに配置されている。他の例は、音を取り付け面１０１における開口１１３に通すように方向付ける向きにあるスピーカー１０２を示しているが、スピーカー保持装置４００は、音をフランジ１１１のリム１１２の間の開口に通すように方向付ける。この例では、背面１１４は、取り付け面１０１の前面とみなすことができる。スピーカー保持装置４００におけるスピーカー１０２のスピーカー向きは、スピーカーを頻繁に交換する場合があり、したがって、クリップ１０３に容易にアクセス可能であることが有利となる例において、有益である可能性がある。フランジ１１１、リム１１２、クリップ１０３及びフレーム１２１の全ての寸法要件は、スピーカー保持装置３００と同じままであるが、この例における開口１１３は、ここでは、スピーカー１０２の構成部品が通り抜けるように十分大きい必要がある。クリップ１０３は、リム１１２とフレーム１２１との間に配置されることによって、スピーカー１０２をフランジ１１１内に依然として保持する。
【００２２】
図５は、一実施態様における、スピーカー保持装置５００の縦断面図を示している。この例では、スピーカー保持装置５００は、スペーサー５０１を備え、スペーサー５０１は、フレーム１２１及びクリップ１０３によって占められていない、取り付け面１０１の基部とリム１１２との間のフランジ１１１内の余分な空間の充填に役立つ。上方から見た場合、スペーサー５０１は、クリップ１０３及びフレーム１２１と同様の楕円形とすることができる。スペーサー５０１は、フランジ１１１内へのスペーサー５０１の配置を援助するように、クリップ１０３のギャップと同様のギャップを有することができる。いくつかの例において、スペーサー５０１は、フランジ１１１内に又はフレーム１２１に取り付けることができ、これらの例において、スペーサー５０１は、リム１１２のタブのように異なるセグメントに分割することができる。いくつかの例において、スペーサー５０１は、軟質プラスチック、ゴム、発泡材等のような、スピーカー１０２から取り付け面１０１への振動伝達を軽減するのに役立つ振動減衰材料を含むことができる。振動減衰材料としてのスペーサー５０１の使用は、フレーム１２１が、金属又はプラスチック等のより硬質の材料ではなく振動減衰材料によって少なくとも部分的に覆われていない場合、特に有益であり得る。この例では、縦断面図におけるスペーサー５０１がフレームの周囲に形成されている。他の例において、スペーサー５０１は、クリップ１０３と同様の形状を有することができ、その少なくとも１つをフレーム１２１の上及び／又は下に配置することができる。また、スペーサー５０１の使用は、フレーム１２１及びクリップ１０３が取り付け面１０１とリム１１２との間の垂直方向の空間を満たさない例において、フレーム１２１及びクリップ１０３がフランジ１１１内で動くことを防止するのに役立ち得る。同様に、図示のスペーサー５０１は、フレーム１２１の縁部とフランジ１１１の内側との間の空間をより多く満たすことができ、このことは、フランジ１１１内でのスピーカー１０２の横移動を防止するのに役立つ。
【００２３】
図６は、様々な実施態様における、スピーカー保持装置のクリップ６０１及びクリップ６０２を示している。クリップ６０１及びクリップ６０２は、クリップ１０３の代替例である。クリップ６０１及びクリップ６０２は、クリップ６０１及びクリップ６０２の形状を、リム１１２を越えてフランジ１１１内に嵌まるように操作するために、それぞれのギャップの両側に物理形状部を有する。特に、クリップ６０１は、クリップ６０１をフランジ１１１内に配置する際又はクリップ６０１をフランジ１１１から取り出す際に工具が配置される穴６１１及び穴６１２を有する。例えば、穴６１１及び穴６１２に挿入するのに十分細い先端部を有するプライヤータイプの工具を用いて、クリップ６０１を締め、クリップ６０１におけるギャップの大きさを減少させることができ、それにより、クリップ６０１がリム１１２を通り抜けることが可能になる。クリップ６０２は、ギャップの両側にタブ６２１及びタブ６２２を備える。タブ６２１及びタブ６２２は、クリップ６０２をフランジ１１１に挿入する際又はクリップ６０２をフランジ１１１から取り出す際、人員がクリップ６０２を把持してクリップ６０２を締めるのに役立ち得る。代替的には、プライヤータイプの工具等の工具を用いて、配置及び取り出しのためにタブ６２１及びタブ６２２を把持することができる。
【００２４】
タブ６２１、タブ６２２、穴６１１及び穴６１２は、それぞれのクリップ６０１及びクリップ６０２におけるギャップにすぐ隣接してそれぞれ配置されているが、タブ６２１、タブ６２２、穴６１１及び穴６１２は、上述した機能が維持される限り、クリップ６０１及びクリップ６０２の他の場所に配置してもよいことが理解されるべきである。同様に、タブ６２１、タブ６２２、穴６１１及び穴６１２によって提供される把持点は、同じ機能を維持しながら、穴及びタブ以外の形態をとることができる。
【００２５】
図７は、一実施態様における、スピーカー保持装置を備える電話機７００を示している。電話機７００は、フェイスプレート７０１と、送受話器７０２と、ダイヤルパッド７０３とを備える。送受話器７０２及びダイヤルパッド７０３は、通話及びユーザー入力に用いられる一般的な電話機コンポーネントである。フェイスプレート７０１は、より大きな装置に組み込まれる場合の取り付け面１０１の一例である。フェイスプレート７０１の全体は、１つの連続する部品としてもよいし、一緒に組み立てられた複数の部品から構成してもよい。目下、図７には、フェイスプレート７０１の前部が示されている。フェイスプレート７０１の前部は、取り付け面１０１の前面１１５の一例であり、スピーカーカバー７０４を含む。この例のスピーカーカバー７０４は、本明細書に記載の方法でフェイスプレート７０１の背面に取り付けられたスピーカーによって生成される音の通過を許容するための、フェイスプレート７０１の材料のクロスハッチングを含む。したがって、スピーカーカバー７０４は、上方からの開口１１３の一例である。他の例において、スピーカーカバー７０４は、フェイスプレート７０１の他の部分とは異なる材料で作製することができる（例えば、メッシュインサートとすることができる）。図示していないが、フランジ１１１と同様のフランジが、フェイスプレート７０１の背面に存在しており、スピーカーは、上記の図１〜図３及び／又は図５に関して記載した方法と同様の方法で、クリップ１０３と同様のクリップによって、スピーカーカバー７０４を介して外側に向くようにして、上記フランジ内に保持される。
【００２６】
図８は、一実施態様における、スピーカー保持装置を組み立てる方法８００を表すフロー図を示している。方法８００は、スピーカー１０２のフレーム１２１をフランジ１１１内に配置すること（８０１）を含む。スピーカー１０２は、スピーカー１０２が、図１、図２、図３及び図５に示すように、フランジ１１１内へ背面１１４に向くように配置してもよいし、スピーカー１０２がフランジ１１１の外へ背面１１４から離れる方に向くように配置してもよい。いくつかの例において、振動減衰、空間充填、移動制限のために又は何らかの他の理由のために、フレーム１２１の周囲にスペーサー（複数の場合もある）５０１を配置することができる（８０２）。
【００２７】
スピーカー１０２（及び使用される場合はスペーサー（複数の場合もある）５０１）が配置された後、クリップ１０３がフランジ１１１内へフレーム１２１とリム１１２との間に配置され、スピーカー１０２（及び使用される場合はスペーサー（複数の場合もある）５０１）をフランジ１１１内に保持する（８０３）。上述したように、クリップ１０３を締めて、クリップ１０３におけるギャップの大きさを減少させることができ、それにより、クリップ１０３の寸法を、リム１１２を通り抜けるように十分減少させる。次に、リム１１２を越えてフランジ１１１に入ったら、クリップ１０３を解放することができ、それにより、クリップ１０３は、クリップ１０３をリム１１２内に保持する寸法まで戻ることができる。いくつかの場合、図６に示す把持点のような把持点を用いて、クリップ１０３を締めることができる。リム１１２を越えてフランジ１１１に入るようにクリップ１０３を操作する他の方法を用いてもよい。
【００２８】
上記例は、オーディオスピーカーを取り付け面に保持することに焦点を当てているが、同様の形状の他のタイプのオーディオコンポーネントを同様に保持することができる。例えば、上述したスピーカーフレームと同様の楕円形のフレームを有するマイクロフォンを、フレームとフランジのリムとの間のクリップを用いて、取り付け面のフランジ内に保持することができる。
【００２９】
本明細書に含まれる記載及び図は、特許請求される発明の特定の実施態様を示している。発明の原理を教示する目的で、いくつかの従来の態様は簡略化又は省略されている。また、本発明の範囲内にあるこれらの実施態様からのいくつかの変形形態が認識され得る。上述した特徴を様々に組み合わせて、複数の実施態様を形成することができることも認識され得る。結果として、本発明は、上述した特定の実施態様に限定されず、特許請求の範囲及びその均等物のみによって限定される。
【図１】
2020137124.tif 000003
【図２】
2020137124.tif 000004
【図３】
2020137124.tif 000005
【図４】
2020137124.tif 000006
【図５】
2020137124.tif 000007
【図６】
2020137124.tif 000008
【図７】
2020137124.tif 000009
【図８】
2020137124.tif 000010
【外国語明細書】
2020137124.tif 000011
2020137124.tif 000012
2020137124.tif 000013
2020137124.tif 000014
2020137124.tif 000015
2020137124.tif 000016
2020137124.tif 000017
2020137124.tif 000018
2020137124.tif 000019
2020137124.tif 000020
2020137124.tif 000021
2020137124.tif 000022
2020137124.tif 000023
2020137124.tif 000024
2020137124.tif 000025
2020137124.tif 000026
2020137124.tif 000027
2020137124.tif 000028
2020137124.tif 000029
2020137124.tif 000030